(57)【要約】  異常が疑われる生体組織を検出するための光散乱・吸収技術。異常のある組織、病変部または、そうした病変部や腫瘍に発展する前の組織の位置を特定するため内視鏡または結腸鏡をより良く導くためのデータを有益に提供するために複数の血液量センサおよび／または接触センサ（１２ａ〜１２ｎ）を利用する装置および方法。
2011521672.tif 000002
【特許請求の範囲】
【請求項１】
生体の体腔内に挿入されるプローブ（８；１２２；１３２）であり、複数の照射部（３ａ〜３ｎ）と複数の集光部（７ａ〜７ｎ）とを有するプローブ（８；１２２；１３２）を備え、
前記照射部（３ａ〜３ｎ）は、前記生体内の組織領域を照射し、
前記集光部（７ａ〜７ｎ）は、照射された前記組織領域からの作用光を受光し、血液量測定を示す信号を生成する、
ことを特徴とする装置。
【請求項２】
前記集光部（７ａ〜７ｎ）に接続され、生成された前記信号に基づき、照射された前記組織領域内の血液量を判断する処理部（９）を更に備えることを特徴とする請求項１に記載の装置。
【請求項３】
前記プローブ（８；１２２；１３２）の案内に有用となるように、判断された前記血液量に基づくパラメータを示す、前記処理部（９）に接続されるインジケータ（６２５）を更に含むことを特徴とする請求項２に記載の装置。
【請求項４】
前記プローブ（８；１２２；１３２）は、円筒形状であり、その外面に前記照射部（３ａ〜３ｎ）と、前記集光部（７ａ〜７ｎ）と、を備えることを特徴とする請求項１に記載の装置。
【請求項５】
円筒形状の前記プローブ（８）は、隆起した螺旋状部（１１２）を有し、その上に前記照射部（３ａ〜３ｎ）と前記集光部（７ａ〜７ｎ）とを備えることを特徴とする請求項４に記載の装置。
【請求項６】
前記隆起した螺旋部（１１２）は、前記生体の対象とする前記体腔を形成する前記組織に接触するのに十分な大きさであることを特徴とする請求項５に記載の装置。
【請求項７】
前記処理部（９）は、
前記複数の集光部（７ａ〜７ｎ）のそれぞれの、前記組織と互いに作用する光を示す信号を比較し、少なくとも１つの比較信号を生成するコンパレータ（６２６）と、
前記コンパレータ（６２６）に接続され、前記比較信号に基づいて照射された前記組織内の前記血液量を示す情報を算出する処理部（６２２）と、
を備えることを特徴とする請求項１に記載の装置。
【請求項８】
前記照射部（３ａ〜３ｎ）は、平行光を発光することを特徴とする請求項１に記載の装置。
【請求項９】
前記照射部（３ａ〜３ｎ）は、偏光を発光することを特徴とする請求項８に記載の装置。
【請求項１０】
前記集光部（７ａ〜７ｎ）に近接する少なくとも１つの偏光子（４）を備えることを特徴とする請求項１に記載の装置。
【請求項１１】
２つの偏光子（４１、４２）が、前記集光部（７ａ〜７ｎ）に近接して位置し、前記２つの偏光子（４１、４２）は互いに略直交する偏光を有することを特徴とする請求項１０に記載の装置。
【請求項１２】
内視鏡を更に備えることを特徴とする請求項１に記載の装置。
【請求項１３】
前記照射部（３ａ〜３ｎ）および前記集光部（７ａ〜７ｎ）は、前記内視鏡の遠位端（７１）に近接して配置されることを特徴とする請求項１２に記載の装置。
【請求項１４】
生体組織の特性を判断するための装置であり、
生体の体腔内に挿入されるプローブ（８；１２２；１３２）であり、前記生体内の前記組織の各部を照らすために前記プローブ（８；１２２；１３２）に設けられる複数の照射部（３ａ〜３ｎ）と、前記組織の各部からの作用光を受光する前記プローブ（８；１２２；１３２）に設けられる複数の集光部（７ａ〜７ｎ）と、を備えるプローブ（８；１２２；１３２）と、
前記プローブ（８；１２２；１３２）と、前記生体の前記体腔を形成する前記組織との接触を容易にする接触部と、
前記プローブ（８；１２２；１３２）の案内に有用となるように、前記照射された組織内の血液量を示すために前記集光部（７ａ〜７ｎ）に接続される処理部（９）と、
を備えることを特徴とする装置。
【請求項１５】
前記照射部（３ａ〜３ｎ）および前記集光部（７ａ〜７ｎ）は、前記接触部の表面に配置、または、前記接触部と並べられることを特徴とする請求項１４に記載の装置。
【請求項１６】
前記接触部は、前記プローブ（８；１２２；１３２）を軸方向に囲むことを特徴とする請求項１５に記載の装置。
【請求項１７】
前記接触部は膨張可能であることを特徴とする請求項１５に記載の装置。
【請求項１８】
前記接触部からの受信信号に応じ、前記照射部（３ａ〜３ｎ）および前記集光部（７ａ〜７ｎ）のうち少なくとも１つに電力が供給されることを特徴とする請求項１４に記載の装置。
【請求項１９】
内視鏡と共に使用される装置であって、
生体の体腔に挿入され、内円周を有する内面と外円周を有する外面とを有するシース（１２１；１３１）と、
前記外面に位置し、前記生体内の組織領域を照射する複数の照射部（３ａ〜３ｎ）と、
前記外面に位置し、照射された各組織領域からの作用光を受光し、血液量測定を示す信号を生成する複数の集光部（７ａ〜７ｎ）と、
を備えることを特徴とする装置。
【請求項２０】
前記集光部（７ａ〜７ｎ）に接続され、生成された前記信号に基づいて前記照射された組織領域内の血液量を判断する処理部（９）を更に備えることを特徴とする請求項１９に記載の装置。
【請求項２１】
前記プローブ（８；１２２；１３２）の案内に有用となるように、前記判断された血液量に基づくパラメータを示す、前記処理部（９）に接続されるインジケータ（６２５）を更に含むことを特徴とする請求項２０に記載の装置。
【請求項２２】
前記シースの前記外円周は、前記生体組織の前記体腔よりも大きいことを特徴とする請求項１９に記載の装置。
【請求項２３】
前記シースと前記生体の前記体腔を形成する組織との接触を保証する接触部を更に備えることを特徴とする請求項１９に記載の装置。
【請求項２４】
前記接触部からの受信信号に応じ、前記照射部（３ａ〜３ｎ）および前記集光部（７ａ〜７ｎ）のうち少なくとも１つに電力が供給されることを特徴とする請求項１９に記載の装置。
【請求項２５】
前記照射部（３ａ〜３ｎ）および前記集光部（７ａ〜７ｎ）は、前記接触部の表面に配置、または、前記接触部の表面と並べられることを特徴とする請求項２３に記載の装置。
【請求項２６】
前記接触部は、前記シースを軸方向に囲むことを特徴とする請求項２５に記載の装置。
【請求項２７】
前記接触部は膨張可能であることを特徴とする請求項２５に記載の装置。
【請求項２８】
前記シースは、前記シースの前記外円周に隆起した螺旋状部（１１２）を有することを特徴とする請求項１９に記載の装置。
【請求項２９】
前記照射部（３ａ〜３ｎ）および前記集光部（７ａ〜７ｎ）は、前記隆起した螺旋状部（１１２）に位置することを特徴とする請求項２８に記載の装置。
【請求項３０】
生体の体腔内で内視鏡を導く方法であり、
生体の体腔内にプローブ（８；１２２；１３２）を挿入し、
前記プローブ（８；１２２；１３２）を、前記体腔を形成する組織の表面に接触させ、
接触された前記組織の表面上の部分を照射し、
照射され、接触された前記組織の表面からの作用光を受光し、
前記プローブ（８；１２２；１３２）の案内に有用となるように、受光した前記作用光を処理して照射された前記組織の血液量を示すパラメータを決定する、
ことを含む方法。
【請求項３１】
前記接触は、前記プローブ（８；１２２；１３２）を囲む膨張可能なカフを膨張させることで実現されることを特徴とする請求項３０に記載の方法。
【請求項３２】
決定された前記パラメータに基づいて前記生体内の前記プローブ（８；１２２；１３２）を再度配置することを特徴とする請求項３０に記載の方法。
【請求項３３】
前記プローブ（８；１２２；１３２）は前記内視鏡内部に設けられ、決定された前記パラメータは前記プローブ（８；１２２；１３２）を導くために使用されることを特徴とする請求項３１に記載の方法。
【請求項３４】
前記接触は、前記プローブ（８；１２２；１３２）上に設けられた複数の検出センサのうち少なくとも１つを用いて前記組織に接触させることを更に含むことを特徴とする請求項３０に記載の方法。
【請求項３５】
生体の体腔内で血液量検出部を案内する方法であり、
生体の体腔内にシースを挿入し、
前記シースを、前記体腔を形成する組織の表面に接触させ、
接触された前記組織の表面上の部分を照射し、
照射され、接触された前記組織の表面からの作用光を受光し、
前記シースの案内に有用となるように、受信した前記作用光を処理して照射された前記組織の血液量を表すパラメータを決定する、
ことを含む方法。
【請求項３６】
前記シースの案内に有用となるように前記シースに内視鏡を挿入することを更に含むことを特徴とする請求項３５に記載の方法。
【発明の詳細な説明】
【技術分野】
【０００１】
本発明は、概して、異常が疑われる生体組織を検出する光散乱・吸収技術の利用に関する。特に、本発明は、複数の血液量センサを利用してプローブや内視鏡を導いて生体内の異常組織をより有効に検出する装置および方法に関する。
【背景技術】
【０００２】
科学者により、例えば、本明細書に援用される非特許文献１に記載のように、健康な組織の血液量に対する表面粘膜の血液量の検出可能な増加は、大腸内の癌性・前癌性病変部の近くで起こるということがわかっている。こうした現象は、血液供給の初期増加（ｅａｒｌｙ  ｉｎｃｒｅａｓｅ  ｉｎ  ｂｌｏｏｄ  ｓｕｐｐｌｙ：ＥＩＢＳ）と称される。
【０００３】
この現象により、異常領域内の血液供給の初期増加（ＥＩＢＳ）に基づく異常があり得る領域を予測できることが知られている。更に、注目領域に平行光を照射するプローブを用いて吸収光および反射光を検出することにより、臨床医への情報提供が可能となり、これにより内視鏡を導き侵襲的措置を行わずに体内で起こり得る異常を検出できることがわかっている。こうした技術は、例えば、本明細書に援用される、２００７年１１月８日出願の「Ｂｌｏｏｄ  Ｃｏｎｔｅｎｔ  Ｄｅｔｅｃｔｉｎｇ  Ｃａｐｓｕｌｅ」と題された本発明の譲受人に譲渡される特許文献１に記載されている。
【先行技術文献】
【特許文献】
【０００４】
【特許文献１】米国特許出願明細書１１／９３７，１１３
【非特許文献】
【０００５】
【非特許文献１】R. K. Wali, H. K. Roy, Y. L. Kim, Y. Liu, J. L. Koetsier, D. P. Kunte, M. J. Goldberg, V. Turzhitsky, and V. Backman, Increased Microvascular Blood Content is an Early Event in Colon Carcinogenesis, Gut Vol. 54, 654-660 (2005)
【発明の概要】
【発明が解決しようとする課題】
【０００６】
しかし、特定の種類の血液量光センサには、血液量を正確に検出するために検出センサと下にある組織の粘膜との接触が必要とされる。こうした種類の検出センサと注目組織との間に隙間が存在すると、照射された組織と相互に作用する光の小さくなった振幅がセンサに受信されるが、その値は異常を検出するには小さな値となってしまう可能性がある。そこで、組織の異常領域が検出される確からしさを向上させるため、測定センサが確実に調査対象の組織に接触したままであることが重要となる。従来考えられる構成はこの問題に取り組んだものではない。この結果、こうしたシステムで異常領域が見逃される、あるいは、検出できない可能性がある。
【課題を解決するための手段】
【０００７】
調査対象の組織に検出センサが接触する場合にセンサの接触を増やす、および／または、収集されたデータを特定するシステムおよび方法に基づいて、本発明は検出センサからのデータの精度を効果的に上昇させる。本発明において、例えば、生体の体腔へ挿入されるプローブの一部である血液量検出部に関連した接触検出部を用いることおよび／または異常組織、病変部、または、そうした病変部や腫瘍に発展する前の組織の位置を特定するため、内視鏡または結腸鏡をより良く導くためのデータを有益に提供するために複数の血液量センサを用いることにより、データの精度を効果的に上昇させることができる。
【０００８】
本発明の一態様では、接触検出部を用い、それとともに用いる血液量光検出部によって、これらのセンサが対象組織に直接接触している際のより正確な血液量データを得る。接触検出部は、こうしたセンサが組織に接触している状態を示し、これに応じて、こうした状態に生成される血液量情報信号はこれらのセンサが組織接触していない状態に比べて精度が高くなる傾向にあることを示す。更に、接触センサは、接触センサが組織粘膜に接触している期間のみ血液量センサ内の照射部および集光部に電力が供給されるように、血液量センサへの信号や電力を生成してもよい。
【０００９】
本発明の別の態様では、プローブや内視鏡の表面内または表面上に効果的に配置される複数の血液量センサを利用することにより、改良された血液量検出が実現できる。異常組織の検出およびその位置の特定は、複数のセンサからの血液量検出データに基づいて向上する。統計的に処理できるこうしたセンサからのほぼ同時に生成されたデータを利用することや、プローブや内視鏡を導く際に使用される情報をより良くかつ正確に提供することは特に有益となる。
【図面の簡単な説明】
【００１０】
【図１】図１は、複数の血液量検出センサを利用する本発明の一態様にかかる例示のシステムのブロック図である。
【図２】図２は、少なくとも３つの血液量光センサを用いる本発明にかかるシステムの例示の図である。
【図３】図３は、本発明で利用可能な光学血液量センサの例示の実施形態である。
【図４】図４は、本発明で利用可能な光学血液量センサの別の例示の実施形態を示す。
【図５】図５は、本発明で利用可能な偏光素子の例示の実施形態を示す。
【図６】図６は、本発明で利用可能な例示の処理部の代表ブロック図を示す。
【図７】図７は、本発明を利用する第１の内視鏡構成の例示の実施形態を示す。
【図８】図８は、本発明を利用する第２の内視鏡構成の例示の実施形態を示す。
【図９】図９は、本発明を利用する第３の内視鏡構成の例示の実施形態を示す。
【図１０】図１０は、本発明を利用する第４の内視鏡構成の例示の実施形態を示す。
【図１１】図１１は、本発明を利用する内視鏡の例示の箇所の一実施形態を示す。
【図１２】図１２は、本発明を利用する例示の内視鏡およびシースの構成を示す。
【図１３】図１３は、本発明を利用する第２の例示の内視鏡およびシースの構成を示す。
【図１４】図１４は、本発明で利用可能な例示の光ファイバ束を示す。
【発明を実施するための形態】
【００１１】
本発明は、接触の改善による血流検出の改善と、様々な検出センサと調査対象の生体組織粘膜との接触の改善の可能性とに関する。
【００１２】
図面は、全体を通して同じ参照番号が同じ部分を表す。本明細書中で用いられるように、「ａ」、「ａｎ」および「ｔｈｅ」は、内容により明示されていない限り複数についても言及するものとする。また、本明細書で用いられるように、「ｉｎ」は、内容により明示されていない限り「ｉｎ」および「ｏｎ」の両方を含むものとする。また、本明細書で用いられるように、「ａｎｄ」と「ｏｒ」は、内容により明示すされていない限り、接続語および離接語の両方を含み、また、ほぼ同じ意味で使用できるものとする。
【００１３】
図１は、３つの検出センサを含む血液検出システム１００の模式図を示す。
【００１４】
当業者に理解されるように、検出センサや窓の数は３つに限られるものではない。光源１は、シングルファイバロッド２に接触している。光源１から生じる光は、シングルファイバロッド２の端面に集束される。シングルファイバロッド２の内部構成により、光ビームはシングルファイバのコアの内壁に繰り返し反射して均一の強度の光源、つまり、平行光となる。
【００１５】
シングルファイバロッド２は更にファイバ束３と接触している。ファイバ束３は、独立した光ファイバ３ａ〜３ｎからなる。透過光は、それぞれ光ファイバ３ａ〜３ｎを通り測定部１２ａ〜１２ｎへと伝達される。各測定部１２ａ〜１２ｎでは、透過光は測定部を出る前に偏光板、レンズ、およびプリズムの列を通過する。測定部を出た光は、検査対象の生体組織の領域を照射する。照射された組織粘膜からの作用光はそれに応じて測定部１２ａ〜１２ｎにより検出される。各測定部１２ａ〜１２ｎでは、図３に示すように、受光された作用光が測定部のプリズム、レンズ、および偏光子を通過し、集光ファイバ７ａ１、７ａ２〜集光ファイバ７ｎ１、７ｎ２のうち対応する１つを介して分析のために分光器９へ透過される。
【００１６】
図２は、図１のシステム１００の例示の構成のブロック図を示す。図２を参照すると、図２に見られる例示のシステムは、照射された組織粘膜内の血液量を確認するために調査対象の組織を照射するのに十分な強度と周波数の光を生成する光源を含む。シングルファイバロッド２は、例えば、光ファイバに入射する光の均一な強度および周波数を保証するため、例えば、光コアを含む光導体であってもよく、あるいは、光源１から出射された光を均一かつ平行にするように設計されてもよい。光ファイバ３ａ〜３ｎは、シングルファイバロッド２から測定部１２ａ〜１２ｎへと光を伝える個別の光透過ラインである。光源１は、例えば、キセノンランプ、ハロゲンランプ、ＬＥＤ、または十分な強度と周波数の光を与えることができる他のどんな光源であってもよい。
【００１７】
光源１の他に、各測定部１２ａ〜１２ｎは、更に偏光子４と、レンズ５と、プリズム６と、測定窓１５とを有する。偏光子４は、透過光波が線形に、つまり、水平方向または鉛直方向に合わせられることを保証するように設計される直線偏光子である。レンズ５は、光波を平行方向で伝える光学レンズである。光波は、略平行にレンズ５を出て、プリズム６の表面に当たる。プリズム６は、反射面で覆われた光学プリズムである。プリズム６の表面に当たる光波は測定窓１５を垂直に通過して下の生体組織に反射する。測定窓１５は光学窓であり、通常、検出波長範囲内のガラスや他の材料からなり、透過光波や反射光波と相互に作用せず、また、透過光波や反射光波を減衰させない。
【００１８】
下の生体組織と相互に作用、または、生体組織で反射した光は、測定窓１５を通り、プリズム６と、レンズ５と、偏光子４とを通り、対応する集光ファイバ７ａ１、７ａ２〜集光ファイバ７ｎ１、７ｎ２に戻る。集光ファイバ７ａ１、７ａ２〜集光ファイバ７ｎ１、７ｎ２は、それぞれ反射光を分光処理部（分光器）９へと伝える。集光ファイバ７ａ１、７ａ２〜集光ファイバ７ｎ１、７ｎ２を偏光器４に対して配置した結果、集光ファイバ７ａ１、７ａ２〜集光ファイバ７ｎ１、７ｎ２はそれぞれ水平または鉛直に偏光された光波を分光器９へと伝える。集光ファイバ７ａ１、７ａ２〜集光ファイバ７ｎ１〜７ｎ２はそれぞれスロット８で分光器９に入射し、各血液量データを分光器９に設置するデータ受信部へと伝える。
【００１９】
ここで、図１および図２の一つの測定部１２ａに関し、システム１００の例示の詳しい動作を説明するが、この動作は同時に行われる、あるいは図１に示す測定部１２ａ〜１２ｎによって行われると理解される。図２を参照すると、光源１から発光された光は、シングルファイバロッド２を通過し、独立した光ファイバ３ａに到達する。光源１から生じる光がシングルファイバロッド２を通過する際、ロッド２は光源１から発光された光の強度および周波数を均一および平行にし、均一および平行になった光を独立した光ファイバ３ａへと導く。
【００２０】
平行光が１つのファイバ３ａへ進入すると、その光は個別の測定部１２ａへ伝達される。測定部１２ａは、光ファイバと、偏光子４と、レンズ５と、プリズム６と、測定窓１５とにより構成される。透過光は測定窓１５を介して測定部１２ａを出て生体内の組織領域を照射する。
【００２１】
照射された組織と相互に作用する特定の光は、反射し、対応する反射窓１５を通って対応する測定部１２ａに集光されてプリズム６、レンズ５、および偏光子４を通過して集光ファイバ７ａ１、７ａ２に到達する。
【００２２】
測定部１２ａは、受光あるいは集光した作用光を分光器９の通過スリット８へと導く２つの受光／集光ファイバ７ａ１、７ａ２を有する。通過スリット８を介して分光処理部９に進入する測定部１２ａの集光ファイバ７ａ１、７ａ２に代えて、より良い効率的な光透過のために、レンズを集光ファイバ７ａ１、７ａ２とスリット８との間に設けても良い。こうしたレンズは例えば円筒形に構成される。しかし、本発明に従い代わりの形状や他の構成を用いてもよい。
【００２３】
図１４に示し、また、図１４に関して後に説明するように、独立したファイバ３ａ〜３ｎは、例えば、１００μｍの小さな直径を有し、それによりファイバ束３の直径は１ｍｎと小さくてもよい。本例では、１本のファイバの直径は、同じく所望の強度の様々な窓から発光される光を生成する光源１から発光される光を受光するのに十分な大きさとする。ファイバ束３の十分に小さなサイズの各光ファイバ３ａ〜３ｎを維持するために、独立した各ファイバ端は先細りの形状を有してもよく、光源に近い端面のコアの領域は、各測定部１２ａ〜１２ｎに近いもう一方の端面よりも大きい。
【００２４】
図３は、測定部１２ａの例示の構成を示す。他の測定部１２ｂ〜１２ｎは同様の光学構成を有してもよい。図３を参照すると、測定部１２ａは、光ファイバ３と、集光ファイバ７ａ１、７ａ２と、直線偏光子４１、４２と、レンズ５と、プリズム６と、測定窓１５とを含む。
【００２５】
図３の測定部の動作において、光源１（図１および図２に示す）から発光された光は、光ファイバ３ａ内を進み、直線偏光子４を通過する。偏光子４は、２つの直線偏光子４１および４２から成る。直線偏光子４１は水平に偏光する配向を有し、直線偏光子４２は直線偏光子４１による直線偏光に対し垂直に偏光する配向を有してもよい。透過された直線偏光ビーム３０１は、直線偏光子４１を通過してレンズ５に入射する。レンズ５の形状により、光ビーム３０１はプリズム６で屈折する前に平行にレンズを出る。そして、その光は、プリズム表面２１に反射して測定窓１５に伝わり、対象組織粘膜１７を照射する。プリズム表面２１は、好ましい反射率を得るために、銀、アルミニウム、または他の材料で蒸着コーティングされてもよい。
【００２６】
測定窓１５が対象組織粘膜１７に接触している場合、透過光は組織粘膜１７と互いに作用する。作用光３０２および３０３の一部は、プリズム６に再入射し、プリズム表面２１で屈折してレンズ５を通る。作用光３０２および３０３は、レンズ５を通過して偏光子へ入り、直線偏光子４１および直線偏光子４２を通過する。光３０２および３０３は、各偏光子４１および４２を通過した後、光がどちらの直線偏光子を通過したかに応じてそれぞれ集光ファイバ７ａ１、７ａ２に入射する。
【００２７】
このレンズ、プリズム、および偏光子の構成により、組織粘膜１７と特定の角度で相互に作用する光のみが集光部や集光ファイバ７ａ１、７ａ２とに入射する。より詳細には、透過光と反射光の両方が直線偏光子４１を通過するので、集光部や集光ファイバ７ａ１に入射する光は透過光と同じ向きに偏光される。一方、集光部や集光ファイバ７ａ２に入射する光は、直線偏光子４１に対して垂直の配向を有する偏光方向の直線偏光子４２を通過するので、透過光に対して常に垂直となる。
【００２８】
図４は、図３の測定部１２ａの偏光子、レンズ、およびプリズムの組み合わせの別の実施形態を示す。図４では、図３のレンズ５およびプリズム６が統合されて一つのレンズプリズム部１９となる。このように２つの素子を統合することにより、レンズとプリズムの個々を組み合わせた場合よりも面の数が減る。これにより、面反射により生成される迷光の量が減少し、よって、受光ファイバに到達する迷光を減少させることができる。レンズとプリズムを１つに組み合わせることで得られる別の利点は、必要となる構成部の数が減り、製造および組み立てのコストを減らせることで実現される。別の実施形態では、レンズ自体の同じ効果を得るために、プリズムの平坦な反射面２１が球面または楕円面であっても良く、これにより、更に構成部の数と製造コストが低減できる。
【００２９】
動作中、図４の測定部は、図３についての説明と同様に作動する。光源１から発光された光は光ファイバ３ａ内を進み、直線偏光子４１を通過する。直線偏光子４１は水平に偏光する配向を有し、直線偏光子４２は偏光子４１による直線偏光に対して垂直に偏光する配向を有してもよい。透過直線偏光ビーム３０１は直線偏光子４１を通過し、レンズプリズム部１９に入射する。レンズプリズム部１９のレンズ部分の形状により、光ビーム３０１は、レンズプリズム部１９の表面２１により屈折する前に互いに平行になるように偏光される。光は、表面２１で反射され、測定窓１５を通って対象組織粘膜１７を照射する。プリズム表面２１は、好ましい反射率を得るために、例えば、銀、アルミニウム、または他の材料で蒸着コーティングされてもよい。
【００３０】
測定窓１５が対象組織粘膜１７に接触している場合、透過光は組織粘膜１７と互いに作用する。作用光３０２および３０３の一部は、レンズプリズム部１９に再入射し、表面２１で屈折してレンズプリズム部１９のレンズに戻る。光３０２および３０３は、レンズプリズム部１９を通過して直線偏光子４１または直線偏光子４２へ入る。直線偏光子４１または直線偏光子４２を通過した後、光は集光ファイバ７ａ１または集光ファイバ７ａ２に適宜入射する。
【００３１】
このレンズプリズム部１９および偏光子４１、４２の構成により、組織粘膜１７と特定の角度で互いに作用する光のみが集光部や集光ファイバ７ａ１、７ａ２に入射する。より詳細には、透過光と反射光の両方が直線偏光子４１を通過するので、集光ファイバ７ａ１に入射する光は、透過光と同じ向きに偏光される。一方、集光ファイバ７ａ２に入射する光は、直線偏光子４１に対して垂直の配向を有する偏光方向の直線偏光子４２を通過するので、透過光に対して常に垂直となる。
【００３２】
図５は、図２〜４の直線偏光子４の例示の構成を示す。図５は、図２〜図４の直線偏光子４１、４２がガラス基板５１からなり、ポリマー材料５２が第１の側面に接着されアルミワイヤが反対の第２の側面５３に蒸着してもよいことを示している。偏光面、つまり、ポリマー側またはアルミワイヤ側は受光ファイバ面に好ましく接着されてもよい。偏光面の耐熱性を理由に、偏光面はアルミワイヤ、例えば、ニュージャージー州、バーリントンのＥｄｍｕｎｄｓ  Ｏｐｔｉｃｓ社製のアルミワイヤグリッド偏光ファイバから形成されるのが好ましい。
【００３３】
本発明では、独立した測定部により受光される作用光の検出に基づいて計算が行われる。図６は、例示の分光器９の模式図を示す。図６では、分光器９は分光計６２０と、データ前処理部６２１と、血液量試算部６２２（または血液量計算部）と、データ検証部６２３と、電源６２４と、オプションディスプレイやインジケータ６２５と、データコンパレータ６２６とを備える。分光計６２０は、集光ファイバ７ａ１、７ａ２〜集光ファイバ７ｎ１、７ｎ２からの情報を受信する。
【００３４】
動作中、図６の分光器９の分光計６２０が受信したデータは、データ前処理部６２１に与えられる。データ前処理部６２１は、例えば、以下の式（１）に表されるようなホワイト補正などのデータ補正アルゴリズムを実行する。
【数１】
2011521672.tif 000003
【００３５】
式（１）において、式（１）の分子および分母で使われるΠと⊥はそれぞれ水平偏光スペクトルと垂直偏光スペクトルを表す。式（１）では、λは波長を表す。ΔＩ（λ）は、測定された差分偏光スペクトルを示す。ΔＩＷ（λ）は、標準白色板を用いて測定されるスペクトルであり、式（１）の分母に示すように、白色水平偏光スペクトルＩＷΠ（λ）と白色垂直偏光スペクトルＩＷ⊥（λ）とを合計することにより算出される。式（１）の分子では、水平偏光スペクトルＩΠ（λ）と垂直偏光スペクトルＩ⊥（λ）との差分が算出され、その差分は、ΔＩ（λ）を表す信号である。
【００３６】
データ前処理部６２１が得た結果に基づいて、血液量試算部６２２は、例えば、本明細書に援用される、M. P. Siegel et al, Assessment of blood supply in superficial tissue by polarization-gated elastic light-scattering spectroscopy, Applied Optics, Vol. 45, Issue 2, 335-342 (2006) に見られる以下の式（２）を用いて血液量を算出する。
【数２】
2011521672.tif 000004
【００３７】
血液量試算部６２２は、式（２）などのモデル式を用いて血液量を算出し、対応する血液量値をオプションディスプレイ６２５に与える。また、血液量試算部６２２は、収集したデータ全体の確認として血液量値をデータ検証部６２３に与えても良い。更に、血液量試算部６２２は、様々な測定部１２ａ〜１２ｎからの結果をコンパレータ６２６に与えることで測定の有効性を判断しかつ多数の測定部１２ａ〜１２ｎに基づく検出の精度を向上させてもよい。特に、コンパレータ６２６は、測定部１２ａ〜１２ｎそれぞれの、組織に作用した光を表す信号を比較し、少なくとも１つの比較信号を生成する。そして、コンパレータ６２６に接続される血液量算出部６２２は、照射された組織内の血液量を表す情報を比較信号に基づいて算出する。
【００３８】
複数の測定部を有する本発明にかかる例示の内視鏡の様々な構成を図７〜１３に示す。より詳細には、図７は、複数の測定部を有する内視鏡先端７１を示す。内視鏡先端７１は通常凹形状であり、その内視鏡先端面に沿って配置される複数の測定部７２を有する。動作中、内視鏡先端７１を生体組織に押し込むことにより、組織は、複数の測定部７２に引き込まれる、あるいは、吸引されて複数の測定部に接触する。凹面に多数の測定部を配置することにより、１つ以上の測定部による接触が保証される。複数の測定部との接触により、１つの測定部を有するプローブに比べより正確な読み取りが行われやすくなる。また、複数の測定部７２から得られるデータを比較することにより、血液量検出の精度が向上する。図８の構成では、複数の測定部８４は、従来の可撓内視鏡８と共に用いられる。内視鏡８は、硬質の先端８１と、接続部８２と、屈曲部８３と、本発明にかかる測定部８４とを有する。可撓内視鏡の挿入部の外円周部に測定部８４を配置することにより、装置を挿入し取り外す際に、検出窓が、有効に、より組織粘膜に接触しやすくなる。
【００３９】
図９は、図８に示す発明の構成の変形例を示す。測定部１８４の第２の輪は、接続部８２の円周部に縦方向に配置される。可撓内視鏡の円周部の測定部１８４の第２の輪を利用して、ユーザは、内視鏡の縦方向に沿った二つの異なる箇所での測定結果を得ることができる。生体組織の二つの異なる領域からのデータを分析することにより、オペレータは、２つの測定領域間の差異を利用して異常病変部への近似をより正確に判断することができる。
【００４０】
図１０は、図８および図９に開示の構成の別の実施形態を示す。図１０に見られるように、測定部１８４は、可撓内視鏡の挿入部の円周部に略螺旋状に配置されてもよい。このような配置により、複数の検出窓が対応する範囲は著しく増加する。
【００４１】
図１１は、本発明の一実施形態を示し、内視鏡の接続部が糸状または螺旋状の凸部１１２を有する。この実施形態では、複数の測定部１１１が螺旋状の凸部１１２の外円周部に配置される。この構成の動作では、挿入や抽出の際に挿入部が回転されるにつれて組織粘膜の同一領域に複数の測定部１１１が順番に接触しやすくなる。
【００４２】
図１２は、内部に測定部１２３が設けられ、シースで覆われた内視鏡１２２を示す。シース１２１は、本来、筒状であり、その内部に、例えば、従来の内視鏡などの内視鏡１２２が挿入される。複数の測定部１２３がシース１２１の外周に沿って配置されており、生体組織粘膜１２４に接触する。この種のシースの構成により、ユーザは、従来の内視鏡を用いると同時に、異常組織へ内視鏡を導くための血液量検出方法を好適に利用することができる。シース１２１は、糸状の突出部を有して構成することができ、これに応じて複数の測定部１２３は糸状の周部に沿って螺旋状に構成してもよいと当業者に理解されるだろう。
【００４３】
図１３は、シース１３１と、内視鏡１３２と、内部に複数の測定部１３４を備えるバルーン１３３とを有する実施形態を示す。シース１３１は、通常、空洞管であり、その内部に、例えば、内視鏡１３２が通される。バルーン１３３は、シース１３１に取付け、あるいは、シース１３１と一体に形成され、空気または水圧により膨張する。シース１３１を設置する際、バルーン１３３が膨張して対象組織粘膜１３５に接触する。バルーン１３３の膨張は、複数の測定部１３４と組織粘膜１３５との接触を確実にする。更に、バルーン１３３の膨張に基づく血液検出プロセスを開始するためにセンサ１３６を用いても良い。当業者に理解されるように、センサ１３６はシース１３１またはバルーン１３３の外部と内部どちらに設けてもよい。例えば、センサは、バルーン１３６の表面またはシース１３１内部に位置してもよく、バルーン１３３が膨張して生体組織１３５に接触する際にバルーン１３３が与える背圧を検知してもよい。
【００４４】
別の実施形態では、各自一組の測定部１３４を有する２つ以上のバルーンが用いられてもよい。複数のバルーン１３３を用いることで、複数の測定部１３４をシース１３１に沿って広げることができる。このように、血液量検知データが分析されて注目領域に最も近いバルーン１３３を判断する。こうした情報により、疑わしい注目領域を孤立させ、また検出しやすくなる。本発明の別の実施形態では、バルーン１３３と組織粘膜１３５との接触を検知すると血液データの収集が開始される。バルーン膨張機構内で背圧の検知やバルーン１３３内に位置する表面センサ１３６により、このように接触が検知されてもよい。
【００４５】
上記の記載および図面は本発明の好適な実施形態を示すが、本発明の思想と範囲から逸脱しなければ様々な変更や変形が可能だと考えることができる。例えば、本明細書に記載の改良型の方法および装置は、内視鏡の一部として、あるいは、内視鏡と併せて説明されるが、本発明は、独立型のプローブや他の医療装置とともに用いることができる。
【図１】
2011521672.tif 000005
【図２】
2011521672.tif 000006
【図３】
2011521672.tif 000007
【図４】
2011521672.tif 000008
【図５】
2011521672.tif 000009
【図６】
2011521672.tif 000010
【図７】
2011521672.tif 000011
【図８】
2011521672.tif 000012
【図９】
2011521672.tif 000013
【図１０】
2011521672.tif 000014
【図１１】
2011521672.tif 000015
【図１２】
2011521672.tif 000016
【図１３】
2011521672.tif 000017
【図１４】
2011521672.tif 000018
【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
生体の体腔内に挿入されるプローブ（８；１２２；１３２）であり、複数の照射部（３ａ〜３ｎ）と複数の集光部（７ａ〜７ｎ）とを有するプローブ（８；１２２；１３２）を備え、
前記照射部（３ａ〜３ｎ）は、前記生体内の組織領域を照射し、
前記集光部（７ａ〜７ｎ）は、照射された前記組織領域からの作用光を受光し、血液量測定を示す信号を生成し、
前記プローブ（８；１２２；１３２）は、円筒形状であり、その外面に前記照射部（３ａ〜３ｎ）と、前記集光部（７ａ〜７ｎ）と、を備えることを特徴とする装置。
【請求項２】
円筒形状の前記プローブ（８）は、隆起した螺旋状部（１１２）を有し、その上に前記照射部（３ａ〜３ｎ）と前記集光部（７ａ〜７ｎ）とを備えることを特徴とする請求項１に記載の装置。
【請求項３】
前記隆起した螺旋部（１１２）は、前記生体の対象とする前記体腔を形成する前記組織に接触するのに十分な大きさであることを特徴とする請求項２に記載の装置。
【請求項４】
生体の体腔内に挿入されるプローブ（８；１２２；１３２）であり、複数の照射部（３ａ〜３ｎ）と複数の集光部（７ａ〜７ｎ）とを有するプローブ（８；１２２；１３２）と、
前記集光部（７ａ〜７ｎ）に接続され、生成された前記信号に基づき、照射された前記組織領域内の血液量を判断する処理部（９）と、を備え、
前記照射部（３ａ〜３ｎ）は、前記生体内の組織領域を照射し、
前記集光部（７ａ〜７ｎ）は、照射された前記組織領域からの作用光を受光し、血液量測定を示す信号を生成し、
前記処理部（９）は、
前記複数の集光部（７ａ〜７ｎ）のそれぞれの、前記組織と互いに作用する光を示す信号を比較し、少なくとも１つの比較信号を生成するコンパレータ（６２６）と、
前記コンパレータ（６２６）に接続され、前記比較信号に基づいて照射された前記組織内の前記血液量を示す情報を算出する処理部（６２２）と、
を備えることを特徴とする装置。
【請求項５】
前記照射部（３ａ〜３ｎ）は、平行光を発光することを特徴とする請求項１または４に記載の装置。
【請求項６】
前記照射部（３ａ〜３ｎ）は、偏光を発光することを特徴とする請求項５に記載の装置。
【請求項７】
前記集光部（７ａ〜７ｎ）に近接する少なくとも１つの偏光子（４）を備えることを特徴とする請求項１または４に記載の装置。
【請求項８】
２つの偏光子（４１、４２）が、前記集光部（７ａ〜７ｎ）に近接して位置し、前記２つの偏光子（４１、４２）は互いに略直交する偏光を有することを特徴とする請求項７に記載の装置。
【請求項９】
内視鏡を更に備えることを特徴とする請求項１または４に記載の装置。
【請求項１０】
前記照射部（３ａ〜３ｎ）および前記集光部（７ａ〜７ｎ）は、前記内視鏡の遠位端（７１）に近接して配置されることを特徴とする請求項９に記載の装置。
【請求項１１】
生体組織の特性を判断するための装置であり、
生体の体腔内に挿入されるプローブ（８；１２２；１３２）であり、前記生体内の前記組織の各部を照らすために前記プローブ（８；１２２；１３２）に設けられる複数の照射部（３ａ〜３ｎ）と、前記組織の各部からの作用光を受光する前記プローブ（８；１２２；１３２）に設けられる複数の集光部（７ａ〜７ｎ）と、を備えるプローブ（８；１２２；１３２）と、
前記プローブ（８；１２２；１３２）と、前記生体の前記体腔を形成する前記組織との接触を容易にする接触部と、
前記プローブ（８；１２２；１３２）の案内に有用となるように、前記照射された組織内の血液量を示すために前記集光部（７ａ〜７ｎ）に接続される処理部（９）と、
を備えることを特徴とする装置。
【請求項１２】
前記照射部（３ａ〜３ｎ）および前記集光部（７ａ〜７ｎ）は、前記接触部の表面に配置、または、前記接触部と並べられることを特徴とする請求項１１に記載の装置。
【請求項１３】
前記接触部は、前記プローブ（８；１２２；１３２）を軸方向に囲むことを特徴とする請求項１２に記載の装置。
【請求項１４】
前記接触部は膨張可能であることを特徴とする請求項１２に記載の装置。
【請求項１５】
前記接触部からの受信信号に応じ、前記照射部（３ａ〜３ｎ）および前記集光部（７ａ〜７ｎ）のうち少なくとも１つに電力が供給されることを特徴とする請求項１１に記載の装置。
【請求項１６】
内視鏡と共に使用される装置であって、
生体の体腔に挿入され、内円周を有する内面と外円周を有する外面とを有するシース（１２１；１３１）と、
前記外面に位置し、前記生体内の組織領域を照射する複数の照射部（３ａ〜３ｎ）と、
前記外面に位置し、照射された各組織領域からの作用光を受光し、血液量測定を示す信号を生成する複数の集光部（７ａ〜７ｎ）と、
を備えることを特徴とする装置。
【請求項１７】
前記集光部（７ａ〜７ｎ）に接続され、生成された前記信号に基づいて前記照射された組織領域内の血液量を判断する処理部（９）を更に備えることを特徴とする請求項１６に記載の装置。
【請求項１８】
前記プローブ（８；１２２；１３２）の案内に有用となるように、前記判断された血液量に基づくパラメータを示す、前記処理部（９）に接続されるインジケータ（６２５）を更に含むことを特徴とする請求項１７に記載の装置。
【請求項１９】
前記シースの前記外円周は、前記生体組織の前記体腔よりも大きいことを特徴とする請求項１６に記載の装置。
【請求項２０】
前記シースと前記生体の前記体腔を形成する組織との接触を保証する接触部を更に備えることを特徴とする請求項１６に記載の装置。
【請求項２１】
前記接触部からの受信信号に応じ、前記照射部（３ａ〜３ｎ）および前記集光部（７ａ〜７ｎ）のうち少なくとも１つに電力が供給されることを特徴とする請求項２０に記載の装置。
【請求項２２】
前記照射部（３ａ〜３ｎ）および前記集光部（７ａ〜７ｎ）は、前記接触部の表面に配置、または、前記接触部の表面と並べられることを特徴とする請求項２０に記載の装置。
【請求項２３】
前記接触部は、前記シースを軸方向に囲むことを特徴とする請求項２２に記載の装置。
【請求項２４】
前記接触部は膨張可能であることを特徴とする請求項２２に記載の装置。
【請求項２５】
前記シースは、前記シースの前記外円周に隆起した螺旋状部（１１２）を有することを特徴とする請求項１６に記載の装置。
【請求項２６】
前記照射部（３ａ〜３ｎ）および前記集光部（７ａ〜７ｎ）は、前記隆起した螺旋状部（１１２）に位置することを特徴とする請求項２５に記載の装置。
【国際調査報告】
2011521672.tif 000019
2011521672.tif 000020